(57)【要約】【課題】弾性ガスケットどうしの当接による優れたシール機能を、ガスケットどうしが多少位置ズレしても確実に得られるようにして、シール機能の信頼性を向上させる。【解決手段】セルを構成する複数の板状体のうちの対向するセパレータ２どうしの間に介装される燃料電池用ガスケット１３において、対向するセパレータ２のうちの一方に接着されるゴム製の第１ガスケット１３Ａと、他方に接着されるゴム製の第２ガスケット１３Ｂとから成るとともに、これらセパレータ２が互いに接近する方向に締付けられた所定の組付け状態においては、第１及び第２ガスケット１３Ａ，１３Ｂどうしが互いに圧縮変形して押圧接触させる。第１及び第２ガスケット１３Ａ，１３Ｂにおける押圧接触する先端面１５ａを、押圧方向に対して互いに同方向に傾いた傾斜面に構成する。【選択図】図４
2005197086.tif 000002
【特許請求の範囲】
【請求項１】
セルを構成する複数の板状体のうちの対向するものどうしの間に介装される燃料電池用ガスケットであって、
前記対向する板状体のうちの一方の板状体に固着される弾性材製の第１ガスケットと、他方の板状体に固着される弾性材製の第２ガスケットとから成り、これら板状体が互いに接近する方向に締付けられた所定の組付け状態においては、前記第１及び第２ガスケットどうしが互いに圧縮変形を伴って押圧接触するとともに、前記第１及び第２ガスケットにおける押圧接触する部分が、押圧方向に対して互いに同方向に傾いた傾斜面に構成されている燃料電池用ガスケット。
【請求項２】
請求項１において、
前記第１ガスケットの傾斜面の幅方向で中間部に、第２ガスケットに向って突出する凸部を形成し、かつ、前記第２ガスケットの傾斜面には、前記凸部の嵌り込みを許容する凹部が形成されている燃料電池用ガスケット。
【請求項３】
請求項１において、
前記第１及び第２ガスケットの夫々の傾斜面における幅方向で中間部には、互いに対向する状態で凹部が形成されている燃料電池用ガスケット。
【請求項４】
セルを構成する複数の板状体のうちの対向するものどうしの間に介装される燃料電池用ガスケットであって、
前記対向する板状体のうちの一方の板状体に固着される弾性材製の第１ガスケットと、他方の板状体に固着される弾性材製の第２ガスケットとから成り、これら板状体が互いに接近する方向に締付けられた所定の組付け状態においては、前記第１及び第２ガスケットどうしが互いに圧縮変形を伴って押圧接触するとともに、
第１ガスケットの断面形状を、ガスケット幅方向の中間部が第２ガスケットに向って突出する凸形に設定し、かつ、第２ガスケットの断面形状を、前記第１ガスケットの嵌り込みを許容する凹形に設定するとともに、前記第２ガスケットには、これと前記第１ガスケットとの間に空間部を形成すべく、さらに凹入した溝部が形成されている燃料電池用ガスケット。
【請求項５】
請求項４において、
前記第１ガスケットの断面形状が、左右に傾斜面を有した先尖り形状に設定され、前記第２ガスケットの断面形状が、先尖り形状の第１ガスケットが嵌合する奥窄まり形状に形成されている燃料電池用ガスケット。
【発明の詳細な説明】
【技術分野】
【０００１】
本発明は、燃料電池用ガスケットに係り、詳しくは、セルを構成する複数の板状体のうちの対向するものどうしの間に介装される燃料電池用ガスケットに関するものである。
【背景技術】
【０００２】
固体高分子型燃料電池は、平板状の電極構造体の両側にセパレータが積層されたものが一つのセル、即ち単位セルとなり、複数の単位セルを積層して燃料電池のスタックとして構成されている。電極構造体は、正極側の電極触媒層（カソード）と、負極側の電極触媒層（アノード）との間に高分子の電解質膜（高分子電極膜）が挟まれ、各電極触媒層の外側にガス拡散層が配置された積層体である。セパレータは電子伝達機能を有する材料から成るもので、電極構造体への対向面にはガス通路が形成され、少なくとも一方のセパレータの表面には冷媒通路が形成されている。
【０００３】
これら通路はいずれも溝状であって、ガス通路には燃料ガスである水素ガスと酸素や空気等の酸化剤ガスが夫々独立して流され、冷媒通路には水或いはエチレングリコール等の冷媒が流される。セパレータは、各ガス通路間の突起部がガス拡散層に接触する状態で電極構造体に積層される。そして、それらガスがセル外に漏れ出ることを防止するためのガスケットが装備されている。即ち、セパレータや電解質膜等の、セルを構成すべく積層配備される板状体は、それらの周囲において対向する板状体との間にガスケットを介装させてシールすることが行われている。このように対向する板状体どうしの間にガスケットを有したもの、例えば、セパレータと電解質膜との間にガスケットを介装させたものとしては、特許文献１において開示されたものが知られている。
【０００４】
一般に、弾性材製のガスケットを用いたシール構造は、一対の板状体間にガスケットを挟み込んで押圧することにより、ガスケットを弾性変形させて板状体に密着させるようになる。この場合、両方の板状体に密着させてシールさせる構造か、或いは、ガスケットを一方の板状体に接着剤等を用いて固着させておき、他方の板状体に密着させる構造かのどちからが適宜に用いられる。つまり、いずれにせよ、少なくとも一方の板状体に押付けての弾性変形により、ガスケットと板状体とを密着させてシールすることになる。
【０００５】
そして、シール性を良くするには、ガスケットの押圧力を強くするか、ゴム等のガスケット材料の弾性係数（バネ定数）を下げ、かつ、弾性変形量を大きくするかして密着性を向上させる手段が採られるが、いずれにしてもより強くガスケットを押圧することに変わりはない。しかしながら、燃料電池用として用いられる電解質膜等の板状体は、その厚さが薄く、また材料面からも、強度・剛性に富むものではないため、押圧力を強くすると板状体が曲ったり変形することがあるとともに、カーボン材製のものでは折損するおそれもあるため、むやみに押圧力を増すことは困難である。
【０００６】
そこで、特許文献２や３において開示されたように、弾性材から成るガスケットどうしを当接させる構造として、小さいバネ定数で豊富な弾性変位量を得ることにより、あまり押圧力を強くすることないようにしながら良好なシール性が得られる手段が開発された。特許文献２のものにおいては、山形の突出部どうしを当接させる構造であり、特許文献３のものにおいては、一方のガスケットの断面形状を凸状にし、他方のガスケットの断面形状を凹状として、互いに嵌合させる構造のものを開示している。
【特許文献１】特開平８−１８５８７４号公報
【特許文献２】特開２００２−４２８３４号公報
【特許文献３】特開２００３−１５７８６７号公報
【発明の開示】
【発明が解決しようとする課題】
【０００７】
弾性材からなるガスケットどうしを当接することにより、同材質によってなじみが良いとともに、押圧力に対する各ガスケットの総変形量を、ガスケットを剛体に当接させる場合に比べて約２倍にでき、両ガスケットどうしを密着させるに要する押圧荷重は略半分で済む。つまり、ガスケットを装備することに起因して板状体に曲げ方向の荷重が作用することが軽減され、板状体が曲り変形するとか折れるといった不都合が生じないようにしながら、確実なシール性能が得られるようになった。
【０００８】
この場合、ガスケットどうしは正しく対向配置されるように設定されるのであるが、寸法誤差等によって位置ズレすることがあり、必ずしも正確に対向配置されないこともある。このようにガスケットどうしが位置ズレすると、前述の従来技術のものでは、ガスケットどうしが横にずれてうまく当接できず、当接力が弱いとか隙間が生じる等、所期したシール機能が得られない不都合が予測される。
【０００９】
また、前記特許文献３において開示された凹凸の嵌合構造によるものでは、ガスケットどうしの極めて微細な位置ズレであれば、ガスケットが弾性材から成ること、及び凹凸構造であることとによって姿勢矯正作用が生じ、ガスケットどうしが嵌合できるように思われる。しかしながら、明確な位置ズレには追従し切れず、やはり所期のシール機能が期待できない。
【００１０】
以上のように、ガスケットどうしを当接させる構造においても、シール性を向上させることには改善の余地が残されている。そこで、本発明の目的は、対向配置された板状体間に装備される燃料電池用ガスケットによるシール構造を見直すことにより、ガスケットどうしの当接による優れたシール機能を、ガスケットどうしが多少位置ズレすることがあっても、確実に得られるようにして、シール機能の信頼性を向上させる点にある。
【課題を解決するための手段】
【００１１】
請求項１の構成は、セルを構成する複数の板状体のうちの対向するものどうしの間に介装される燃料電池用ガスケットにおいて、
前記対向する板状体のうちの一方の板状体に固着される弾性材製の第１ガスケットと、他方の板状体に固着される弾性材製の第２ガスケットとから成り、これら板状体が互いに接近する方向に締付けられた所定の組付け状態においては、前記第１及び第２ガスケットどうしが互いに圧縮変形を伴って押圧接触するとともに、前記第１及び第２ガスケットにおける押圧接触する部分が、押圧方向に対して互いに同方向に傾いた傾斜面に構成されていることを特徴とする。
【００１２】
請求項２の構成は、請求項１において、
前記第１ガスケットの傾斜面の幅方向で中間部に、第２ガスケットに向って突出する凸部を形成し、かつ、前記第２ガスケットの傾斜面には、前記凸部の嵌り込みを許容する凹部が形成されていることを特徴とする。
【００１３】
請求項３の構成は、請求項１において、
前記第１及び第２ガスケットの夫々の傾斜面における幅方向で中間部には、互いに対向する状態で凹部が形成されていることを特徴とする。
【００１４】
請求項４の構成は、セルを構成する複数の板状体のうちの対向するものどうしの間に介装される燃料電池用ガスケットおいて、
前記対向する板状体のうちの一方の板状体に固着される弾性材製の第１ガスケットと、他方の板状体に固着される弾性材製の第２ガスケットとから成り、これら板状体が互いに接近する方向に締付けられた所定の組付け状態においては、前記第１及び第２ガスケットどうしが互いに圧縮変形を伴って押圧接触するとともに、
第１ガスケットの断面形状を、ガスケット幅方向の中間部が第２ガスケットに向って突出する凸形に設定し、かつ、第２ガスケットの断面形状を、前記第１ガスケットの嵌り込みを許容する凹形に設定するとともに、前記第２ガスケットには、これと前記第１ガスケットとの間に空間部を形成すべく、さらに凹入した溝部が形成されていることを特徴とする。
【００１５】
請求項５の構成は、請求項４において、
前記第１ガスケットの断面形状が、左右に傾斜面を有した先尖り形状に設定され、前記第２ガスケットの断面形状が、先尖り形状の第１ガスケットが嵌合する奥窄まり形状に形成されていることを特徴とする。
【発明の効果】
【００１６】
請求項１の構成においては、第１及び第２ガスケットは、圧縮方向（上下方向）だけでなく、せん断方向（横方向）にも押圧付勢されるので、これら双方の方向への弾性変形によって、より少ない荷重で確実なシール性が得られるようになる。加えて、傾斜面どうしが当接することにより、圧縮方向に過剰な押圧力が作用すると、各ガスケットはせん断方向に曲がり変形して適切な押圧力に調節されるようになり、両ガスケットどうしが位置ズレしても、有効なシール機能を得ることができる。このように、ガスケットどうしが多少位置ズレすることがあっても、ガスケットどうしの当接による優れたシール機能が確実に得られ、信頼性が向上する燃料電池用ガスケットを提供できる。
【００１７】
請求項２の構成においては、凹部と凸部とが嵌り合うことで、第１及び第２ガスケットどうしの接触面が、単なる平面ではなく、入り組んだ形状となることから、両ガスケットの密着性が良くなって、シール性が改善されるようになる。また、凸部と凹部との嵌合部分の存在により、両ガスケットどうしの多少の位置ズレを矯正して、夫々の傾斜面どうしを正対させた状態で、各ガスケットどうしを押圧できるようになり、この点からもシール性の向上が可能である。
【００１８】
請求項３の構成においては、傾斜面の幅方向で中間に形成された凹部により、突出長さの長い嵩高部と突出長さの短い嵩低部とが形成されて、嵩低部に比べて曲り変形し易い嵩高部どうしが、互いに逆方向にせん断方向の押圧力が作用し、両ガスケットどうしを近接させる方向への圧縮応力が緩和されるようになる。そして、嵩高部と嵩低部とが横外方に変位する（開花変位する）ことから、ガスケットどうしの接触面積が横方向に拡大されるので、両ガスケットどうしに位置ズレがあっても、その位置ズレを吸収して良好なシール性を維持することが可能である。
【００１９】
請求項４の構成においては、第２ガスケットには、空間部の存在によって左右一対で、かつ、互いに逆方向に傾く傾斜面を有する押圧突起部が形成され、それら双方の押圧突起部は曲げ変形し易い形状となっており、圧縮方向だけでなく、せん断方向にも押圧されてシール性が向上する。つまり、第１ガスケットと第２ガスケットとは、先端部は非接触であり、その両サイドの傾斜面のみで押圧接触する形状に設定されている。しかも、それら左右の押圧突起部は互いに逆方向のせん断力が作用するので、第１ガスケットと第２ガスケットとが、正しく正対する位置に矯正される「自動調芯作用」が発揮され、両ガスケットどうしの横方向への位置ズレを吸収可能となる利点がある。
【００２０】
請求項５の構成においては、先尖り状の第１ガスケットと奥窄まり状の第２ガスケットどうしが互いに嵌合する構造により、組付け状態ではこれら両ガスケットどうしが嵌合される状態に当接される姿勢矯正作用が生じ、両ガスケット間に多少の位置ズレがあっても両ガスケットどうしが横方向にズレてしまうことが無く、この点からも、良好なシール性が維持される。
【発明を実施するための最良の形態】
【００２１】
以下、本発明の実施の形態を図面に基づいて説明する。図１に、自動車に搭載される燃料電池の概略の全体斜視図が、図２に燃料電池の端部構造を示す部分側面図が、図３にはセパレータのガスケットを示す平面図が、そして、図４には燃料電池の組付け前と後におけるガスケットの状況を示す断面図が夫々示されている。また、図５〜図７には、種々のガスケットの断面形状が示されている。尚、図３における仮想線１７は、水やガス等の流体用通路の構成されている場所を示している。
【００２２】
燃料電池Ｅは、図１、図２に示すように、一対のセパレータ２間に積層構成される単位セル１を、所期の電圧を得るべく多数重ね合わせてセルスタックを形成し、そのセルスタックを、一対のインシュレータ３の間に配置し、さらにその両外側に配置した一対の圧力プレート４で挟み込むことによって構成されている。両端の圧力プレート４どうしは、これらに亘って架設される複数の長ボルト５及びナット６による締付機構によって互いに接近する方向に押圧されており、それによって、多数のセル１、多数のセパレータ２、及び一対のインシュレータ３を挟持固定して一体化することにより、組付け状態とされている。
【００２３】
セル１は、板状体であるカーボン製の燃料極（アノード）７と、板状体であるカーボン製の空気極（カソード）８とを、固体高分子型で板状体である電解質膜（イオン交換膜とも言う）９を介して対向配置して成る三層構造のものに構成されている。板状体であるセパレータ２もカーボンの成形品であり、その表裏の各面には溝状のガス流路（図示省略）が刻設されている。つまり、三層構造で成る一つのセル１は、一対のセパレータ２の間にサンドイッチされたような構成となっている。
【００２４】
この燃料電池Ｅには、これを積層方向に貫通する状態で、ガスや生成水等の流体通路であるマニホールド１０が形成されている。即ち、この例では燃料電池Ｅとしての左右夫々に三つのマニホールド１０が上下に並べて配列されており、各エンドプレート４には、マニホールド１０を図示しない所定の配管構造に接続するための取出し筒１１が装備されている。そして、セパレータ２や電解質膜９等には、各マニホールド１０や、これに連通すべくセパレータ２等に刻設されたガス流路（図示省略）に対してシールするためのセル用ガスケット１２、及びセパレータ用ガスケット１３が装備されている。
【００２５】
セル用ガスケット１２は、図２に示すように、単位セル１を挟持するセパレータと電解質膜９との間に介装されている。つまり、セパレータ２と電解質膜９との外郭形状は、燃料極７と空気極８のそれよりも幾分大きく設定されており、各セパレータ２の外周部と電解質膜９の外周部とは、燃料極７又は空気極８を介して対向配置される構造となっており、セル用ガスケットは、燃料極７や空気極８の外側において電解質膜９の外郭形状に沿った略矩形で環状のものに形成されている。
【実施例１】
【００２６】
実施例１によるセパレータ用ガスケット（燃料電池用ガスケットの一例）１３は、図２〜図４に示すように、隣合うセパレータ２どうしの間をシールする環状のものであり、６箇所のマニホールド（開口）１０の周囲に対しても環状にシールする部分も有した形状（図３参照）に形成されている。即ち、セパレータ用ガスケット１３は、一方のセパレータ（対向する板状体のうちの一方の板状体の一例）２に接着によって固着されるゴム（弾性材の一例）製の第１ガスケット１３Ａと、他方のセパレータ（他方の板状体の一例）２に接着によって固着されるゴム（弾性材の一例）製の第２ガスケット１３Ｂとから成るとともに、これらセパレータ２が互いに接近する方向に複数の長ボルト５及びナット６によって締付けられた所定の組付け状態においては、第１及び第２ガスケット１３Ａ，１３Ｂどうしが互いに圧縮変形を伴って押圧接触する構成［図４（ｂ）参照］とされている。
【００２７】
第１及び第２ガスケット１３Ａ，１３Ｂは互いに反対向きとなった同部品で構成されており、図４（ａ）に示すように、組付け前の自由状態では、第１及び第２ガスケット夫々の断面形状は、セパレータ２に対する広い接着面を有した幅広なベース部１４と、ガスケット幅方向の中間部が相手方ガスケットに向って突出するビード部１５とを有した山形に設定されている。そして、各ビード部１５の先端面（「押圧接触する部分」の一例）１５ａは、これら両ガスケット１３Ａ，１３Ｂどうしが押圧される方向に対して互いに同方向に傾いた傾斜面に構成されている。
【００２８】
そして、所定の組付け状態においては、図４（ｂ）に示すように、第１及び第２ガスケット１３Ａ，１３Ｂは、互いの先端面１５ａが当接してそれらビード部１５どうしが押圧接触するように設定されている。セパレータ２の外周部には、第１ガスケット１３Ａ又は第２ガスケット１３Ｂを収容するための薄肉段差部２ａが形成されており、その薄肉段差部２ａに接着剤（図示省略）を用いてベース部１４が接着されている。
【００２９】
つまり、第１及び第２ガスケット１３Ａ，１３Ｂは、平面視で重なる位置関係となるように配置設定されており、図４（ａ）に示す締付け前の状態では、夫々の先端面１５ａどうしが接触しており、長ボルト５及びナット６を規定トルクで締付けて、隣合うセパレータ２どうしが互いに当接する所定の組付け状態では、図４（ｂ）に示すように、各ビード部１５が、上下方向には大きく圧縮弾性変形され、かつ、左右方向（横方向であり、ビード部１５に対するせん断方向）には小さく倒れ弾性変形し、比較的広い幅をもって両ガスケット１３Ａ，１３Ｂどうしが密着する状態がもたらされる。
【００３０】
図４（ｂ）に示す締付状態では、第１及び第２ガスケット１３Ａ，１３Ｂは、圧縮方向（上下方向）だけでなく、せん断方向（横方向）にも押圧付勢されるので、これら双方の方向への弾性変形によって、より少ない荷重で確実なシール性が得られるようになる。加えて、先端面１５ａが傾斜面であることにより、圧縮方向に過剰な押圧力が作用すると、ビード部１５がせん断方向に曲がり変形して適切な押圧力に調節されるという、自動圧力調節機能が生じる利点がある。
【００３１】
第１及び第２ガスケット１３Ａ，１３Ｂの相対位置が、各先端面１５ａどうしが互いに近付く状態となる横方向に位置ズレした場合では、各ビード部１５が、前述のせん断方向へ曲がり変形して、適切な押圧力による好適なシール機能が発揮されるようになる。また、第１及び第２ガスケット１３Ａ，１３Ｂの相対位置が、各先端面１５ａどうしが互いに離れる状態となる横方向に位置ズレした場合では、両ガスケット１３Ａ，１３Ｂの豊富な弾性変位量により、十分に弾性変形されて有効なシール性が確保できる。このように、先端面１５ａを傾斜させることにより、両ガスケット１３Ａ，１３Ｂどうしが位置ズレしても、有効なシール機能を得ることができる。
【００３２】
尚、燃料電池Ｅを所定の組付け状態とすべく、長ボルト５とナット６とを規定の締付けトルクで締付けた際の第１及び第２ガスケット１３Ａ，１３Ｂの押圧力は、ゴムどうしが分子レベルで融合して一体化してしまわない程度で極力強めの値に設定されているのが望ましい。従って、締付けを解除しての分解時に、両ガスケット１３Ａ，１３Ｂが引っ付いて取れない、という不都合は生じないように設定されている。
【００３３】
このように、セパレータ用ガスケット１３を、互いにゴムどうし（弾性材どうし）の第１、第２ガスケット１３Ａ，１３Ｂが当接する構成としてあるので、次のような作用効果もある。例えば、第２ガスケット１３Ｂに代えて、剛性のある厚板鋼板等の板状体とした場合には、確実なシール作用を得るために、剛性に富む板状体と第１ガスケットとを隙間無く密着させるには、第１ガスケットの弾性変形のみに頼ることになるので、第１ガスケット１３Ａの圧縮変形量を大きく設定しなければならないこととなる。従って、強い押圧荷重が必要になる。
【００３４】
そこで、弾性材で成る第１、第２ガスケット１３Ａ，１３Ｂどうしを当接させる構造とすれば、同材質によってなじみが良いとともに、押圧力に対する各ガスケットの総変形量は、前述の第１ガスケットのみに頼る場合の２倍になるから、両ガスケット１３Ａどうしを密着させるに要する押圧荷重は半分で済むことになる。従って、ガスケットを装備するが故にセパレータ２等の板状体に作用する曲げ方向の荷重が軽減されるので、板状体が曲り変形するとか折れるといった不都合が生じないようにしながら、確実なシール性能が得られる燃料電池用ガスケットを実現できた。また、それによって、燃料電池として組付けるための締付荷重も大きく低減できる利点もある。
【００３５】
また、剛性に富む板状体とガスケットとを当接させる構造では、密着性を良くするために板状体の表面を鏡面とする等、精度の高い仕上げ加工が必要となるが、ガスケットどうしを当接させる構造では、ガスケットは接着等によって板状体に固着されるので、板状体の固着対象面は粗面で良く、コストの掛かる高い仕上げ精度は不要となる点でも好都合である。
【実施例２】
【００３６】
実施例２によるセパレータ用ガスケット１３は、図５に示すように、第１ガスケット１３Ａの傾斜面である先端面１５ａの幅方向で中間部に、第２ガスケット１３Ｂに向って突出する断面略三角形状の凸部２１を形成し、かつ、第２ガスケット１３Ｂの傾斜面である先端面１５ａには、凸部２１の嵌り込みを許容する断面略三角形状の凹部２２が形成されたものである。つまり、実施例１によるガスケット構造に、互いに嵌合する凹凸部２２，２１が追加されたものである。
【００３７】
このように、ビード部１５の幅方向で中間部において、先端面１５ａに互いに嵌合する凹凸部２２，２１を形成した構造では、その凹凸部２２，２１が嵌り合うことで、第１及び第２ガスケット１３Ａ，１３Ｂどうしの接触面が、単なる平面ではなく、入り組んだ形状となることから、よりシール性が改善される。また、凸部２１と凹部２２との嵌合部分の存在により、両ガスケット１３Ａ，１３Ｂどうしの多少の位置ズレを矯正して、夫々の先端面１５ａどうしを正対させた状態で、各ビード部１５どうしを押圧できるようになり、この点からもシール性の向上が可能である。
【実施例３】
【００３８】
実施例３によるセパレータ用ガスケット１３は、図６に示すように、第１及び第２ガスケット１３Ａ，１３Ｂの夫々の傾斜面である先端面１５ａにおける幅方向で中間部に、互いに対向する状態で断面略三角形状の凹部２３が形成されたものである。つまり、実施例１によるガスケット構造において、各先端面１５ａに凹部２３が追加されたものであり、それによって各ビード部１５の断面は、嵩高部１５ｎと嵩低部１５ｔとによる長短の二股形状とされている。
【００３９】
この実施例３による構造では、先端面１５ａの傾斜により、嵩低部１５ｔに比べて曲り変形し易い嵩高部１５ｎどうしが、互いに逆方向に明確に作用するせん断方向の押圧力によって横方向に容易に曲り、締付方向（図６における上下方向）への圧縮応力が緩和されるようになる。加えて、嵩高部が横外側方に曲ることで、ガスケットどうしの接触面積が横方向に拡大されるので、両ガスケット１３Ａ，１３Ｂどうしの位置ズレを吸収して、良好なシール性を維持することも可能でになる。
【実施例４】
【００４０】
実施例４によるセパレータ用ガスケット１３は、図７に示すように、第１ガスケット１３Ａの断面形状を、ガスケット幅方向の中間部が第２ガスケット１３Ｂに向って突出する凸形に設定し、かつ、第２ガスケット１３Ｂの断面形状を、第１ガスケット１３Ａの嵌り込みを許容する凹形に設定するとともに、第２ガスケット１３Ｂには、これと第１ガスケット１３Ａとの間に空間部ｓを形成すべく、さらに凹入した溝部２４が形成されたものである。
【００４１】
つまり、第１ガスケット１３Ａのビード部１５の断面形状が、左右に傾斜面１５ｂを有した先尖り形状に設定され、第２ガスケット１３Ｂの断面形状は、先尖り形状の第１ガスケット１３Ａが嵌合する奥窄まり形状に形成されている。これにより、第２ガスケット１３Ｂのビード部１５には、空間部ｓを挟んで左右一対の押圧突起部１５ｐが形成された形状となっている。
【００４２】
この実施例４による構造では、第１ガスケット１３Ａと第２ガスケット１３Ｂとは、空間部Ｓの存在により、各ビード部１５どうしは、先端部は非接触であって両サイドの傾斜面１５ｂのみで押圧接触することとなり、傾斜によって締付方向の力は、その締付方向と横方向とに分散されるので、平な面どうしで接触する場合に比べて、締付方向の反力を軽減しながらも十分なシール性を発揮することが可能である。
【００４３】
加えて、ビード部１５どうしが互いに嵌合することによる姿勢矯正作用が生じ、多少の位置ズレがあってもビード部１５どうしが横方向にズレてしまうことが無く、良好なシール性が維持される。そして、空間部ｓの存在によって生じる左右一対で、かつ、互いに逆方向に傾く先端面（傾斜面）１５ａを有する押圧突起部１５ｐが、曲げ変形し易い形状となっており、圧縮方向だけでなく、せん断方向にも押圧されてシール性が向上する。
【００４４】
しかも、左右の押圧突起部１５ｐには互いに逆方向のせん断力が作用するので、第１ガスケット１３Ａのビード部１５と、第２ガスケット１３Ｂのビード部１５とが、正しく正対する位置に矯正される「自動調芯作用」が明確に発揮され、両ガスケット１３Ａ，１３Ｂどうしの横方向への位置ズレを吸収可能となる利点がある。
【図面の簡単な説明】
【００４５】
【図１】燃料電池の概略構造を示す全体斜視図
【図２】燃料電池の端部構造を示す側面図
【図３】セパレータの平面図
【図４】セパレータ用ガスケットの組付け前（ａ）と後（ｂ）とを示す要部の断面図（実施例１）
【図５】セパレータ用ガスケットの構造を示す用部の断面図（実施例２）
【図６】セパレータ用ガスケットの構造を示す用部の断面図（実施例３）
【図７】セパレータ用ガスケットの構造を示す用部の断面図（実施例４）
【符号の説明】
【００４６】
２              板状体（セパレータ）
１３Ａ          第１ガスケット
１３Ｂ          第２ガスケット
１５            ビード部
１５ａ          傾斜面
１５ｂ          傾斜面
１５ｎ          嵩高部
１５ｐ          押圧突起部
１５ｔ          嵩低部
２１            凸部
２２            凹部
２３            凹部
２４            溝部
ｓ              空間部
【図１】
2005197086.tif 000003
【図２】
2005197086.tif 000004
【図３】
2005197086.tif 000005
【図４】
2005197086.tif 000006
【図５】
2005197086.tif 000007
【図６】
2005197086.tif 000008
【図７】
2005197086.tif 000009